(57)【特許請求の範囲】
【請求項１】
各階を上下に貫通するボイド部を備えた建築物において、
該建築物を略水平に貫通して風を取り込むことができると共に前記ボイド部に連通された通風部と、
該通風部の内部であって前記ボイド部に対向する部分に設けられて、前記通風部を流れる風を前記ボイド部に導くための導風手段と、
を備え、
前記建築物の下層部は、該下層部の上方に構築される上層部よりも床面積が広くて略水平方向に出っ張るように形成され、
前記通風部は、前記下層部の上面にて前記建築物を略水平に貫通するように形成され、
前記下層部の上面であって、前記上層部に吹き付けられて該上層部の外壁に沿って下降する風が吹き付けられる部分が、他の部分よりも低くされて風取込み用凹部が形成された、
ことを特徴とする建築物。
【請求項２】
前記通風部は、前記建築物の周囲の風が吹き抜けるように該建築物の下層部に形成されたオープン型の駐車場である、
ことを特徴とする請求項１に記載の建築物。
【請求項３】
前記風取込み用凹部には傾斜面を設けておいて、前記風の風速が落ちないように構成された、
ことを特徴とする請求項１又は２に記載の建築物。
【発明の詳細な説明】
【技術分野】
【０００１】
本発明は、ボイド部の換気を行うようにした建築物に関する。
【背景技術】
【０００２】
従来、高層集合住宅等の建築物には、各階を上下に貫通するようにボイド部（吹き抜け部）が形成されたものがあり、該ボイド部を換気する方法として種々の方法が提案されている（例えば、特許文献１参照）。
【０００３】
図１１(a) は、建築物のボイド部内を換気する従来方法の一例を示す垂直断面図であり、同図(b) は、その平面図である。図中の符号２０２は、ボイド部を示し、符号２０３は、ボイド部２０２の下部に連通するように形成された空気取り入れ口を示し、符号２０４は、周囲が低くて中央部が高くなるように屋上に設置されたフードを示し、符号２０４ａは、前記ボイド部２０２に連通するように前記フード２０４に形成された貫通孔を示す。屋上付近では、フード２０４の上面に沿って矢印Ｗ０のように風が流れるため、空気取り入れ口２０３→ボイド部２０２→貫通孔２０４ａを流れてきた風がフード２０４の上方に吸い出されることとなり、その風の流れを利用してボイド部２０２の換気を行うことができる。
【特許文献１】特許第２７６０６８６号公報
【発明の開示】
【発明が解決しようとする課題】
【０００４】
しかし、上記従来例のように屋上にフード２０４を設けた場合には、設備が大掛かりになったり、屋上を他の目的に使用することができなかったりするという問題があった。
【０００５】
本発明は、簡単な装置でありながら有効にボイド部を換気できる建築物を提供することを目的とするものである。
【課題を解決するための手段】
【０００６】
請求項１に係る発明は、図９及び図１０に例示するものであって、各階を上下に貫通するボイド部（１０２）を備えた建築物（１０１）において、
該建築物（１０１）を略水平に貫通して風を取り込むことができると共に前記ボイド部（１０２）に連通された通風部（１０３）と、
該通風部（１０３）の内部であって前記ボイド部（１０２）に対向する部分に設けられて、前記通風部（１０３）を流れる風を前記ボイド部（１０２）に導くための導風手段（１０４）と、を備え、
前記建築物の下層部(Ｌ）は、該下層部(Ｌ）の上方に構築される上層部（Ｕ）よりも床面積が広くて略水平方向に出っ張るように形成され、
前記通風部（１０３）は、前記下層部（Ｌ）の上面にて前記建築物を略水平に貫通するように形成され、
前記下層部（Ｌ）の上面であって、前記上層部（Ｕ）に吹き付けられて該上層部（Ｕ）の外壁に沿って下降する風（Ｗ１１）が吹き付けられる部分（１０３ａ）が、他の部分（１０５）よりも低くされて風取込み用凹部が形成された、ことを特徴とする。
【０００７】
請求項２に係る発明は、請求項１に係る発明において、前記通風部（３）は、前記建築物の周囲の風が吹き抜けるように該建築物の下層部（Ｌ）に形成されたオープン型の駐車場であることを特徴とする。
【０００８】
請求項３に係る発明は、請求項１又は２に係る発明において、前記風取込み用凹部（１０３ａ）には傾斜面（図１０(b) の符号１０６参照）を設けておいて、前記風の風速が落ちないように構成されたことを特徴とする。
【０００９】
なお、括弧内の番号などは、図面における対応する要素を示す便宜的なものであり、従って、本記述は図面上の記載に限定拘束されるものではない。
【発明の効果】
【００１０】
請求項１乃至３に係る発明によれば、通風部に吹き込んだ風は、前記導風手段によってボイド部に導かれることとなり、ボイド部の換気に利用することができる。
【発明を実施するための最良の形態】
【００１１】
以下、図１乃至図１０に沿って、本発明を実施するための最良の形態について説明する。ここで、図１は、本発明に係る建築物の構造の一例を示す垂直断面図であり、図２は、本発明に係る建築物の駐車場部分の構造の一例を示す水平断面図である。また、図３(a) は、導風手段の形状の一例を示す平面図であり、同図(b) は、その垂直断面図である。さらに、図４乃至図８は、導風手段の形状の例を示す平面図であり、図９は、本発明に係る建築物の構造の他の例を示す垂直断面図であり、図１０(a)
は、通風部の構造の一例を示す詳細断面図であり、同図(b) は、通風部の構造の他の例を示す詳細断面図である。
【００１２】
本発明に係る建築物は、図１に符号１で例示するものであって、各階を上下に貫通して屋上部で開口するように設けられたボイド部（吹き抜け部）２を備えている。そして、この建築物１には、略水平に貫通して風を取り込むことのできる通風部３が形成されており、これらのボイド部２と通風部３とは連通されている。さらに、該通風部３の内部であって、前記ボイド部２に対向する部分には、該通風部３を流れる風（矢印Ｗ１参照）をボイド部２に導くための導風手段４が配置されている。このように構成した場合には、通風部３に吹き込んだ風Ｗ１は、前記導風手段４によってボイド部２に導かれることとなり、ボイド部２の換気に利用することができる。
【００１３】
この通風部３は、１つの階だけに設けるようにしても、複数の階にそれぞれ設けるようにしても、どちらでも良い。なお、図１に示す建築物１では、建築物の周囲の風（図２の矢印Ｗ１参照）が吹き抜けるようなオープン型の駐車場（外壁や仕切り壁を少なくして風の通りを良くしたオープン型の駐車場）が下層部Ｌに形成されていて、該駐車場を通風部３として利用している。図２中の符号５は駐車スペースを示し、符号２はボイド部を示し、符号６は、該ボイド部内に立設されるタワーパーキングを示し、符号７は、該ボイド部内に上下に延設される縦動線部（エレベータや階段が配設された部分）を示す。図２に示す構造のものでは、縦動線部７やタワーパーキング６が駐車場（つまり、通風部）及びボイド部２に亘って立設されることとなり、駐車場に吹き込んだ水平方向の風Ｗ１は、該縦動線部７やタワーパーキング６の外壁に当たってその方向を変え、ボイド部２に導かれることとなる。つまり、縦動線部７やタワーパーキング６の外壁が上述の導風手段としての役割を果たすこととなる。
【００１４】
ところで、導風手段を、図３(a) (b) に符号１４で示すような形状にしても良い。それらの図において、符号１０は、建築物の外壁を示し、符号１３は、駐車場（通風部）を示し、矢印Ｗ１は、該駐車場内部に吹き込んだ風を示し、符号１２は、ボイド部を示す。この導風手段１４は、図３(a)
の平面視において略十字状となるように構成されており、駐車場１３に吹き込んだ風Ｗ１は該導風手段１４に衝突して向きを変え、ボイド部１２に導かれることとなる。この略十字状の導風手段は、図４に符号２４で示すように、ボイド部１２よりも大きくても良く、また、図５に符号３４で示すように枚数を多くしても良く、図６に符号４４で示すように枚数を少なくしても良い。さらに、図７に符号５４で示すように、互いに離間した状態の複数の壁部材によって導風手段を構成しても良く、図８に符号６４で示すような形状に構成しても良い。また、図３乃至図８に示す壁状部材（各導風手段を構成する壁状部材）は平板状であるが、もちろんこれに限られるものではなく、湾曲させても良い。さらに、それらの壁状部材は、垂直に立設配置しても良いが、傾斜させても良い。
【００１５】
ところで、図９に示すように、建築物１０１の下層部Ｌを、上層部（該下層部の上方に構築される部分）Ｕよりも床面積が広くて略水平方向に出っ張るように形成し、該下層部Ｌの上面に通風部１０３（つまり、建築物１０１を略水平に貫通して風を取り込むことができると共に前記ボイド部１０２に連通された通風部）を設けても良い。建築物１０１に吹き付けられた風の一部Ｗ１０は、符号Ｗ１１に示すように建築物の外壁に沿って下降し、下層部Ｌの上面にまで到達するが、上述のように通風部１０３を設けていると、符号Ｗ１２で示すように、その通風部１０３を通り抜けてボイド部１０２に侵入する。このボイド部１０２には、導風手段としてのタワーパーキング１０４が設けられているので、ボイド部１０２に侵入した風は該タワーパーキング１０４に当たってその方向を上向きに変え、ボイド部１０２を上昇し、建築物の屋上から排出されることとなる。そのようにした場合には、ビル風を有効に利用してボイド部１０２の換気を行うことができる。また、ビル風の一部をボイド部１０２の換気に利用しているので、地上に吹き付けられるビル風の量を低減することが可能となり、風害を低減することができる。
【００１６】
なお、図１０(a)
に詳示するように、上述の風Ｗ１１が吹き付ける部分（下層部Ｌの上面であって、同図に符号１０３ａで示す部分）を他の部分（符号１０５で示す部分）よりも低くして凹部（風取込み用凹部）を形成しておき、該風Ｗ１１が通風路１０３に効率よく吸い込まれるようにしておくと良い。また、図１０(b)
に符号１０６で示すような傾斜面を設けておいて、風速があまり落ちないようにすると良い。さらに、通風路１０３を設ける部分を免震階としておいても良い。また、図１０(a)
(b) では下層部Ｌは駐車場となっているが、もちろんこれに限られるものではない。
【図面の簡単な説明】
【００１７】
【図１】図１は、本発明に係る建築物の構造の一例を示す垂直断面図である。
【図２】図２は、本発明に係る建築物の駐車場部分の構造の一例を示す水平断面図である。
【図３】図３(a) は、導風手段の形状の一例を示す平面図であり、同図(b)は、その垂直断面図である。
【図４】図４は、導風手段の形状の例を示す平面図である。
【図５】図５は、導風手段の形状の例を示す平面図である。
【図６】図６は、導風手段の形状の例を示す平面図である。
【図７】図７は、導風手段の形状の例を示す平面図である。
【図８】図８は、導風手段の形状の例を示す平面図である。
【図９】図９は、本発明に係る建築物の構造の他の例を示す垂直断面図である。
【図１０】図１０(a) は、通風部の構造の一例を示す詳細断面図であり、同図(b)は、通風部の構造の他の例を示す詳細断面図である。
【図１１】図１１(a) は、建築物のボイド部内を換気する従来方法の一例を示す垂直断面図であり、同図(b)は、その平面図である。
【符号の説明】
【００１８】
１          建築物
２          ボイド部
３          通風部（駐車場）
４          導風手段
１０１      建築物
１０２      ボイド部
１０３      通風部
１０４      導風手段
Ｌ          下層部
Ｕ          上層部
【図１】
0005065867.tif 000002
【図２】
0005065867.tif 000003
【図３】
0005065867.tif 000004
【図４】
0005065867.tif 000005
【図５】
0005065867.tif 000006
【図６】
0005065867.tif 000007
【図７】
0005065867.tif 000008
【図８】
0005065867.tif 000009
【図９】
0005065867.tif 000010
【図１０】
0005065867.tif 000011
【図１１】
0005065867.tif 000012